(57)【要約】      （修正有）【課題】使用者が高齢者や視覚障害者であっても聴覚により容易に省エネ温度設定を認識することができ、より多くの空気調和機使用者が省エネ意識を高く持つことを主願とし、空気調和機使用による電力消費をおさえ、ＣＯ２排出を抑制すること。【解決手段】温度設定や風量設定などを行う操作部８と現在の温度設定状況や風量設定状況を表示する表示パネル６と前記操作部にて設定された各種設定状況データを前記空気調和機の室内ユニットに送信する信号送信部３を備えたリモコン４において、前記リモコンにて任意に設定された室内設定温度信号が冷房時は省エネ設定温度以上、暖房時は省エネ設定温度以下にて前記空気調和機の室内ユニットに送信された場合、信号を受信した際にブザー音発音部より発音する信号受信音を通常時の信号受信音とは異なる信号受信音もしくは異なる発音長の信号受信音にし、使用者に省エネ温度に設定されたことを容易に判断できる。【選択図】図１
2007139314.tif 000002
【特許請求の範囲】
【請求項１】
信号受信部とブザー音発音部と、室内温度センサーからの室温情報にて室内温度を制御するマイクロコンピューターを内臓する制御部を備えた空気調和機の室内ユニットと、温度設定や風量設定などを行う操作部と現在の温度設定状況や風量設定状況を表示する表示パネルと前記操作部にて設定された各種設定状況データを前記空気調和機の室内ユニットに送信する信号送信部を備えたリモートコントローラー（以下、リモコンと呼ぶ）において、前記リモコンにて任意に設定された室内設定温度信号が冷房時は省エネ設定温度以上、暖房時は省エネ設定温度以下にて前記空気調和機の室内ユニットに送信された場合、信号を受信した際にブザー音発音部より発音する信号受信音を通常時の信号受信音とは異なる信号受信音もしくは異なる発音長の信号受信音にし、使用者が省エネ温度に設定されたことを容易に判断できることを特徴とする空気調和機。
【請求項２】
リモコンにて任意に設定された室内設定温度信号が、冷房時は省エネ設定温度以上、暖房時は省エネ設定温度以下にて送信された場合、信号を受信した際にブザー音発音部より発音する信号受信音を、電子音声にて発音することで、使用者が省エネ温度に設定されたことをより分り易く判断できることを特徴とする請求項１に記載の空気調和機。
【請求項３】
リモコンにて設定された室内温度と、室内温度センサーからの室内温度情報が一致もしくは冷房時は前記設定された室内温度以上、暖房時は前記設定された室内温度以下になった時、ブザー音発信部より発音を行うとともに、省エネ設定温度と現在の温度差を信号受信音で温度差分の回数発音し、使用者は室内温度が設定温度になったことと、省エネ設定温度と温度差とを容易に認識できることを特徴とする空気調和機。
【請求項４】
リモコンにて設定された室内温度と、室内温度センサーからの室内温度情報が一致もしくは冷房時は前記設定された室内温度以上、暖房時は前記設定された室内温度以下になった時、その旨及び省エネ設定温度と現在の温度差を、ブザー音発音部より発音する音を電子音声にて行い、使用者が室内温度が設定温度になったことと、省エネ設定温度との温度差とをより分り易く判断できることを特徴とする請求項３の空気調和機。
【発明の詳細な説明】
【技術分野】
【０００１】
本発明は、リモコンで室内温度の設定を行う時に、省エネ温度設定であることを容易に判断できるようにしたものであり、使用者に省エネ温度での使用を促す効果がある省エネ技術に関するものである。
【背景技術】
【０００２】
従来は図５に示すように、温度設定や風量設定などを行う操作部１４と、現在の設定温度や現在の設定風量を表示する表示パネル１１と、設定された温度データや設定された風量データを空気調和機に送信する信号送信部１２を備えたリモコン１３があり、使用者が室内温度設定を省エネ設定温度まで変えると、前記表示パネルに省エネマーク１５を表示させ使用者に室内温度設定が省エネ温度設定であることを知らせ、信号受信音の発音回数を変えるようにしていた。
【非特許文献１】ＣＳ−Ｍ２２６Ａ２取扱説明書，平成１７年１０月発行，松下電器産業株式会社エアコン事業部
【発明の開示】
【発明が解決しようとする課題】
【０００３】
しかしながら、前記従来の構成では、使用者に室内温度設定が省エネ温度設定であることを知らせる省エネマークが、リモコンの表示パネルに表示され、受信音の発音回数が通常時と若干異なるだけのため、省エネ設定であることの確認が不明確であり、高齢者や視覚障害者には分りにくいものとなっている。
【０００４】
本発明は、前記従来の課題を解決するもので、その目的とするところは使用者が高齢者や視覚障害者であっても聴覚により容易に省エネ温度設定を認識することができ、より多くの空気調和機使用者が省エネ意識を高く持つことを主願とし、空気調和機使用による電力消費をおさえ、ＣＯ2排出を抑制することである。
【課題を解決するための手段】
【０００５】
上記従来の課題を解決する為に、本発明の空気調和気は、信号受信部とブザー音発音部と、前記受信部と前記発音部や室内温度センサーからの室温情報にて室内温度を制御する制御部を備えた空気調和機の室内ユニットと、温度設定や風量設定などを行う操作部と現在の温度設定状況や風量設定状況を表示する表示パネルと前記操作部にて設定された各種設定状況データを前記空気調和機の室内ユニットに送信するデータ信号送信部を備えたリモコンにおいて、前記リモコンにて任意に設定された室内設定温度信号が冷房時は省エネ設定温度以上、暖房時は省エネ設定温度以下にて前記空気調和機の室内ユニットに送信された場合、信号を受信した際にブザー音発音部より発音する信号受信音を通常時のデータ信号受信音とは異なる信号受信音もしくは異なる発音長の信号受信音を発音させる構成とするものである。
【発明の効果】
【０００６】
本発明の空気調和気は、使用者が省エネ温度設定に設定を合わせた場合、信号受信音を通常の受信音とは全く異なる受信音を発音することにより、聴覚による省エネ設定確認が可能となり、高齢者や視覚障害者にも省エネ設定であることを認識させることができる。また、使用者の省エネ意識を高くさせることにより、空気調和機使用による電力消費をおさえ、ＣＯ2排出の抑制を図れる。
【発明を実施するための最良の形態】
【０００７】
第１の発明は、信号受信部とブザー音発音部と、前記受信部と前記発音部や室内温度センサーからの室温情報にて室内温度を制御する制御部を備えた空気調和機の室内ユニットと、温度設定や風量設定などを行う操作部と現在の温度設定状況や風量設定状況を表示する表示パネルと前記操作部にて設定された各種設定状況データを前記空気調和機の室内ユニットに送信する信号送信部を備えたリモコンにおいて、前記リモコンにて任意に設定された室内設定温度信号が冷房時は省エネ設定温度以上、暖房時は省エネ設定温度以下にて前記空気調和機の室内ユニットに送信された場合、信号を受信した際にブザー音発音部より発音する信号受信音を通常時の信号受信音とは異なる信号受信音もしくは異なる発音長の信号受信音にし、使用者が省エネ温度に設定されたことを容易に知らせることができる。
【０００８】
また、使用者はリモコンの表示パネルに表示される省エネマークを目視にて確認するだけでなく、通常時とは全く異なった発音または異なった発音長の発音を聞くことにより省エネ設定であることを確認することが可能なため、視覚障害者にも省エネ設定温度であることをより認識しやすくできる。それにより使用者の省エネ意識を高くさせ、空気調和機使用による電力消費をおさえ、ＣＯ2排出の抑制を図れる。
【０００９】
第２の発明は、第１の発明でリモコンにて任意に設定された室内設定温度信号が、冷房時は省エネ設定温度以上、暖房時は省エネ設定温度以下にて送信された場合、データ信号を受信した際にブザー音発音部より発音する信号受信音を、電子音声にて発音することで、使用者により分り易く省エネ設定温度であることを知らせることができる。
【００１０】
第３の発明は、リモコンにて設定された室内温度と、室内温度センサーからの室内温度情報が一致もしくは冷房時はそれ以上、暖房時はそれ以下になったとき、ブザー音発信部より発音を行行うとともに、省エネ設定温度と現在の温度差を信号受信音の発音回数にて温度差分発音する。使用者は室内温度が設定温度になったことと、省エネ設定温度と温度差とを容易に認識できる。
【００１１】
第４の発明は、リモコンにて設定された室内温度と、室内温度センサーからの室内温度情報が一致もしくは冷房時はそれ以上、暖房時はそれ以下になったとき及び、省エネ設定温度と現在の温度差を、ブザー音発音部より発音する音を電子音声にて行い、使用者に室内温度が設定温度になったことと、省エネ設定温度との温度差とをより分り易く認識できる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における空気調和機の構成を示す図である。図１において１は空気調和機の室内ユニット、２は信号受信部、３は信号送信部、４はリモコン、５はブザー音発音部、６は表示パネル、７は制御部、８は操作部、９は室内温度センサーである。以上のように構成された空気調和機について、以下その動作、作用を説明する。
【００１４】
リモコン４の操作部８にて任意に設定された室内温度設定データを、信号送信部３から空気調和機の室内ユニット１の信号受信部２に送信する。これによりブザー音発音部５は信号を受信したことを知らせる「ピッ」もしくは「ピッピッ」という信号受信音を発音する。このときの室内温度設定データが省エネ設定温度であるとき、ブザー音発信部は省エネ設定温度データを受信したことを知らせる、例えば「ピーーー」もしくその他の音色などの信号受信音を発音する。
【００１５】
本発明は、使用者がリモコン４の操作部８にて室内温度設定を省エネ温度設定にした際、通常の信号受信音とは全く異なる受信音をブザー音発音部より発音することにより、使用者が省エネ温度に設定されたことを容易に判断することができるため、視覚障害者にも省エネ設定温度であることをより認識しやすくできる。それにより使用者の省エネ意識を高くさせることで、空気調和機使用による電力消費をおさえ、ＣＯ2排出の抑制を図れる。
【００１６】
（実施の形態２）
図２は、本発明の第１の実施の形態における空気調和機の構成において、音声アンサーユニット１０を設けたものである。
【００１７】
リモコン４の操作部８にて任意に設定された室内温度設定データが省エネ設定温度であるとき、音声アンサーユニット１０より省エネ設定温度データを受信したことを知らせる、例えば「省エネ設定温度に設定されました」などの電子音声を発音する。
【００１８】
これにより、使用者がリモコン４の操作部８にて室内温度設定を省エネ温度設定にした際、通常の信号受信音とは異なる電子音声にて発音することで、使用者が省エネ温度に設定されたことを容易に判断することができるため、高齢者や視覚障害者にも省エネ設定温度であることをより認識しやすくできる。それにより使用者の省エネ意識を高くさせることにより、空気調和機使用による電力消費をおさえ、ＣＯ2排出の抑制を図れる。
【００１９】
（実施の形態３）
図３は、本発明の第１の実施の形態における空気調和機の構成において、室内温度センサー９を設けたものである。
【００２０】
リモコン４にて設定された室内温度と、室内温度センサー９からの室内温度情報が一致もしくは冷房運転時はそれ以上、暖房運転時はそれ以下になったとき、ブザー音発信部より例えば「ピーーー」もしくその他の音色などの信号受信音を発音を行う。続いて省エネ設定温度と室内温度センサーからの温度情報との温度差分、信号受信音を発音する、例えば省エネ設定温度と室内温度との温度差が２度の場合「ピー、ピー」などである。
【００２１】
省エネ設定温度と現在の温度差を信号受信音の発音回数にて温度差分発音する。使用者に室内温度が設定温度になったことを知らせる。これにより、使用者があらかじめ設定した室内設定温度に、実際の室内温度が到達したことを認識することができるとともに、省エネ設定温度での運転を促すことで過剰な冷房運転や暖房運転を抑制する効果があり、空気調和機使用による電力消費をおさえ、ＣＯ2排出の抑制を図れる。
【００２２】
（実施の形態４）
図４は、本発明の第２の実施の形態における空気調和機の構成において、室内温度センサー９を設けたものである。
【００２３】
リモコン４にて設定された室内温度と、室内温度センサー９からの室内温度情報が一致もしくは冷房運転時はそれ以上、暖房運転時はそれ以下になったとき、省エネ設定温度と室内温度センサーからの温度情報との温度差分を音声アンサーユニット１０より、例えば「室内温度が設定温度になりました、省エネ設定温度には＋２℃設定温度変更してください」などの電子音声を発音する。これにより、使用者があらかじめ設定した室内設定温度に、実際の室内温度が到達したことをより分り易く認識することができるとともに、省エネ設定温度での運転を促すことで過剰な冷房運転や暖房運転を抑制する効果があり、空気調和機使用による電力消費をおさえ、ＣＯ2排出の抑制を図れる。
【産業上の利用可能性】
【００２４】
以上のように、本発明にかかる空気調和機は、省エネ設定温度での運転を視聴覚障害者や、高齢者にも促すことが可能となるので、省エネ設定での運転を望まれる空気調和機以外にも、冷蔵・冷凍装置等やテレビ、ガス器具などの制御装置にも適用できる。
【図面の簡単な説明】
【００２５】
【図１】本発明の実施の形態１における空気調和機の構成図
【図２】本発明の実施の形態２における空気調和機の構成図
【図３】本発明の実施の形態３における空気調和機の構成図
【図４】本発明の実施の形態４における空気調和機の構成図
【図５】従来技術における空気調和機のリモコンの表示部のレイアウト図
【符号の説明】
【００２６】
１  空気調和機の室内ユニット
２  信号受信部
３  信号送信部
４  リモコン
５  ブザー音発音部
６  表示パネル
７  制御部
８  操作部
９  室内温度センサー
１０  音声アンサーユニット
１１  表示パネル
１２  信号送信部
１３  リモコン
１４  操作部
１５  省エネマーク
【図１】
2007139314.tif 000003
【図２】
2007139314.tif 000004
【図３】
2007139314.tif 000005
【図４】
2007139314.tif 000006
【図５】
2007139314.tif 000007